(57)【要約】【課題】カード等を支持することができるとともに、カップ内の衛生面も保ちつつ、卓上のスペースを有効利用できるカップを提供すること。【解決手段】カップ１０の底部２に一対の側面２ｄ、２ｅが平行な溝２ｂを設けることにより、カップ１０を伏せた状態で溝２ｂに席札３を挿入し、カップ１０を席札立てとして使用することができる。また、席札立てとして使用した後には、カップとして使用できるため、１つのカップ１０で２通りの使用方法が可能である。これにより、別途席札立てを必要とせず、卓上のスペースを有効利用することができる。【選択図】図２
2010057909.tif 000002
【特許請求の範囲】
【請求項１】
飲食物を入れるカップ本体と、
前記カップ本体の下面に形成され使用時に前記カップ本体を支持する底部と、
を備え、
前記底部は、前記底部の基準平面に平行に延びる直線状の溝を有し、
前記溝を構成する一対の側面は、互いに平行に形成されている、カップ。
【請求項２】
前記溝は、前記カップ本体の底部の上部から下部に向かって所定の深さに形成されている、請求項１に記載のカップ。
【請求項３】
前記溝を構成する一対の側面は、底部の垂直方向に対して傾斜している、請求項１及び請求項２のいずれか一項に記載のカップ。
【請求項４】
前記溝は、前記底部に複数設けられている、請求項１から請求項３までのいずれか一項に記載のカップ。
【請求項５】
前記底部は、高台を有し、前記高台は、環状に形成されている、請求項１から請求項４までのいずれか一項に記載のカップ。
【請求項６】
前記溝は、前記高台の前記基準平面に沿った直線上に２カ所形成され、２つの溝の一対の側面の傾斜の角度及び方向が同じである、請求項５に記載のカップ。
【請求項７】
飲食物を入れるカップ本体と、
前記カップ本体の下面に形成され使用時に前記カップ本体を支持する底部と、
を備え、
前記底部は、前記底部の基準平面に平行に延びる直線状の溝を有し、
前記溝は、カードの最端部を支持する第１支持部と、前記第１支持部から所定距離離れて設けられた前記カードの端部を支持する第２支持部と、を有し、
前記溝の開口部の幅が前記カードの幅より大きい、カップ。
【発明の詳細な説明】
【技術分野】
【０００１】
本発明は、席札を着脱可能なカップに関する。
【背景技術】
【０００２】
会議や宴席等で出席者を表示するために使用される席札は、卓上にそのまま置いたり、席札立てに立てたりして使用するものがある（例えば、特許文献１、２参照）。
【０００３】
また、カップの取っ手部分にクリップ溝を設け、カードを取り付けることができるものがある（例えば、特許文献３参照）。
【０００４】
なお、飲食容器の外底面に香を載置するために、外底面を加工したものがある（例えば、特許文献４参照）。
【先行技術文献】
【特許文献】
【０００５】
【特許文献１】実登３００５０９２号公報
【特許文献２】特開平１１−５２８６９号公報
【特許文献３】実開平６−７２４７６号公報
【特許文献４】特開２００５−５２３８０号公報
【発明の概要】
【発明が解決しようとする課題】
【０００６】
しかしながら、特許文献１、２のような席札の使用方法では、卓上のスペースをとってしまうという問題がある。
【０００７】
また、特許文献３のようなカップでは、カップ本体を立てた状態でカードを挟まなければならないため、会議や宴席等の準備をしている間にカップの中にほこりやごみが入るおそれがある。
【０００８】
また、特許文献４のような飲食容器では、容器の底部にカード等を安定して取り付けることはできない。
【０００９】
そこで、本発明は、カード等を支持することができるとともに、カップ内の衛生面も保ちつつ、卓上のスペースを有効利用できるカップを提供することを目的とする。
【課題を解決するための手段】
【００１０】
上記課題を解決するために、本発明に係る第１のカップは、飲食物を入れるカップ本体と、カップ本体の下面に形成され使用時にカップ本体を支持する底部と、を備え、底部は、底部の基準平面に平行に延びる直線状の溝を有し、溝を構成する一対の側面は、互いに平行に形成されている。
【００１１】
上記第１のカップでは、カップの底部に一対の側面が平行な溝を設けることにより、カップを伏せた状態で溝にカード等を挿入し、カップを例えば席札立てとして使用することができる。また、席札立てとして使用した後には、カップとして使用できるため、１つのカップで２通りの使用方法が可能である。これにより、別途席札立てを必要とせず、卓上のスペースを有効利用することができる。
【００１２】
また、本発明の具体的な態様又は観点では、溝は、カップ本体の底部の上部から下部に向かって所定の深さに形成されている。ここで、底部の上部とは、カップを伏せたときの底部のカード等を差し込む側（図１（Ｂ）のＡ側参照）をいう。また、所定の深さとは、カード等を溝に挿入し、保持できる深さであるとともに、カップとしての機能、すなわち飲料等を保持する機能を損なわない程度の深さである。この場合、カード等を挿入したときに安定して保持することができる。
【００１３】
また、本発明の別の態様によれば、溝を構成する一対の側面は、底部の垂直方向に対して傾斜している。この場合、一対の側面が底部の垂直方向に対して傾斜していることにより、挿入されたカード等の記載内容を見やすくすることができる。
【００１４】
また、本発明のさらに別の態様によれば、溝は、底部に複数設けられている。この場合、１つのカップに複数のカード等を挿入することができる。
【００１５】
また、本発明のさらに別の態様によれば、底部は、高台を有し、高台は、環状に形成されている。この場合、卓上に安定してカップを載置することができる。
【００１６】
また、本発明のさらに別の態様によれば、溝は、高台の基準平面に沿った直線上に２カ所形成され、２つの溝の一対の側面の傾斜の角度及び方向が同じである。この場合、溝を高台の基準平面に沿った直線上に２カ所形成し、２つの溝の側面を一方向に揃えることにより、カード等を２カ所で保持することができる。これにより、カード等を安定して保持することができる。
【００１７】
また、本発明に係る第２のカップは、飲食物を入れるカップ本体と、カップ本体の下面に形成され使用時にカップ本体を支持する底部と、を備え、底部は、底部の基準平面に平行に延びる直線状の溝を有し、溝は、カードの最端部を支持する第１支持部と、第１支持部から所定距離離れて設けられたカードの端部を支持する第２支持部と、を有し、溝の開口部の幅がカードの幅より大きい。
【００１８】
上記第２のカップでは、カップの底部に溝を設けることにより、カップを伏せた状態で例えば席札立てとして使用することができる。そのため、１つのカップで２通りの使用方法が可能である。これにより、別途席札立てを必要とせず、卓上のスペースを有効利用することができる。
【図面の簡単な説明】
【００１９】
【図１】（Ａ）〜（Ｅ）は、第１実施形態のカップの構造を説明する図である。
【図２】（Ａ）、（Ｂ）は、カップを席札立てとして使用している状態を説明する図である。
【図３】第２実施形態に係るカップの構造を説明する側面図である。
【図４】（Ａ）、（Ｂ）は、第３実施形態に係るカップの構造を説明する図である。
【図５】（Ａ）〜（Ｃ）は、第４実施形態に係るカップの構造を説明する図である。
【図６】図１等の底部の変形例を説明する図である。
【図７】（Ａ）、（Ｂ）は、図１等の底部の変形例を説明する図である。
【発明を実施するための形態】
【００２０】
〔第１実施形態〕
以下、図面を参照して、本発明の第１実施形態に係るカップについて説明する。
【００２１】
図１は、第１実施形態のカップの構造を説明する図である。図１（Ａ）は、カップ１０を正立させた状態の正面図であり、図１（Ｂ）は、カップ１０を倒立させた状態の側面図であり、図１（Ｃ）は、１（Ｂ）の斜視図であり、図１（Ｄ）は、１（Ｂ）の底面図であり、図１（Ｅ）は、１（Ｂ）の底部２等の拡大図である。このカップ１０は、カップ本体１と、底部２とを備える。
【００２２】
カップ１０は、例えば陶器製の容器であり、カップ本体１の内部に飲食物を入れることができるようになっている。
【００２３】
カップ本体１は、筒状の壁面部１ａと円形状の底面部１ｂとで構成され、内側が空洞１ｃになっている。また、図１（Ｃ）、１（Ｄ）等に示すように、カップ本体１のふち部１ｄは、円形となっている。なお、カップ本体１の壁面部１ａの厚みは一様である。
【００２４】
底部２は、環状の高台２ａと溝２ｂとで構成され、カップ本体１の下面、すなわち底面部１ｂに形成されている。底部２は、カップ１０使用時にカップ本体１を支持する。なお、高台２ａの厚みは同じであり、高さは後述する溝２ｂの深さよりも大きい。また、高台２ａは、カップ本体１の底面部１ｂと同心円に配置されている。
【００２５】
図１（Ｄ）等に示すように、高台２ａには、溝２ｂが一直線上に２カ所形成されている。また、溝２ｂは、底部２の端面である環状の基準平面２ｃに平行に直線状に延びている。図１（Ｂ）、１（Ｄ）等に示すように、溝２ｂを構成する一対の側面２ｄ、２ｅは、互いに平行であり、基準平面２ｃの垂直方向（ＡＢ方向）に対して傾斜している。ここで、図１（Ｅ）等に示すように、２つの溝２ｂは、各溝２ｂの一対の側面２ｄ、２ｅの傾斜の角度θ及び方向が同じになっている。なお、図１（Ｅ）では、便宜上、角度θをカップ本体１の底面部１ｂに対するものとして描いている。各溝２ｂは、カップ１０を倒立させた状態で、高台２ａの上部から下部に向かって所定の深さ、例えば１ｃｍ以下の深さで形成されている。各溝２ｂの幅は、カード等、例えば後述する席札３を挟める程度の大きさとなっている。なお、各溝２ｂは、焼成の前又は後に、やすり、カッター、のこぎり等を用いて形成される。
【００２６】
以下、カップ１０の使用方法について説明する。
【００２７】
図２は、カップ１０を席札立てとして使用している状態を説明する図である。図２（Ａ）は、席札３を取り付けたカップ１０の正面図であり、図２（Ｂ）は、その側面図である。
【００２８】
席札３は、板状の紙片であり、その表面に出席者の名前（図示省略）が表示されている。
【００２９】
図２に示すように、カップ１０を席札立てとして使用する際には、カップ１０を倒立させ、高台２ａに形成された溝２ｂに席札３を挟みこんで取り付ける。カップ１０は、カップ本体１のふち部１ｄにおいて安定して支持される。また、席札３は、席札３と溝２ｂとの接触部分Ｓにおいて溝２ｂの側面２ｅの傾斜に沿って安定して支持される。
【００３０】
一方、カップ１０を飲食物を入れるカップとして使用する際には、席札３を溝２ｂから取り外し、図１（Ａ）に示すように、カップ１０を正立させる。容器部分のカップ本体１は、底部２の平面部分（基準平面２ｃ）において安定して支持される。
【００３１】
以上の説明から明らかなように、本実施形態のカップ１０では、カップ１０の底部２に一対の側面２ｄ、２ｅが平行な溝２ｂを設けることにより、カップ１０を伏せた状態で溝２ｂにカード、具体的には席札３を挿入し、カップ１０を例えば席札立てとして使用することができる。また、席札立てとして使用した後に席札３をカップ１０から取り外しカップ１０を正立させることによって、カップ１０を本来の機能である飲食物を入れるカップとして使用できる。したがって、１つのカップ１０で２通りの使用方法が可能となる。これにより、別途席札立てを必要とせず、卓上のスペースを有効に利用することができる。
【００３２】
また、溝２ｂが、高台２ａの基準平面２ｃに沿った直線上に２カ所形成され、２つの溝２ｂの一対の平行な側面２ｄ、２ｅの傾斜の角度θ及び方向が同じであることにより、席札３を安定して保持することができる。また、溝２ｂの一対の側面２ｄ、２ｅが傾斜していることにより、挿入した席札３に記載された内容を見やすくすることができる。
【００３３】
また、カップ１０を席札立てとして使用することにより、カップ１０を置いているテーブル面よりも高い位置で出席者の席を表示することができ、遠くからも席札３が見やすくなるため、席が分かりやすくなり、出席者をもてなす気持ちを示すことにもなる。
【００３４】
また、会議や宴席等終了後に、カップ１０と席札３とを、記念品とすることができ、持ち帰った後も、カップとして使用することができる。
【００３５】
〔第２実施形態〕
以下、本発明の第２実施形態に係るカップについて説明する。第２実施形態のカップは、第１実施形態のカップを変形したものであり、特に説明しない部分は、第１実施形態と同様であり重複説明を省略する。
【００３６】
図３は、第２実施形態に係るカップの構造を説明する側面図である。このカップ１１０は、カップ本体１と、底部１０２とを備える。
【００３７】
底部１０２は、環状の高台１０２ａと溝１０２ｂとで構成され、カップ本体１の下面、すなわち底面部１ｂに形成されている。底部１０２は、カップ１１０使用時にカップ本体１を支持する。
【００３８】
図３示すように、溝１０２ｂの断面は、台形状になっており、溝１０２ｂを構成する一対の側面１０２ｄ、１０２ｅは、底部１０２の垂直方向に対して互いに逆方向に傾斜している。溝１０２ｂは、カップ１１０を倒立させた状態で、高台１０２ａの上部から下部に向かって所定の深さ、例えば１ｃｍ以下の深さで形成されている。溝１０２ｂの上端における幅は、カード等、例えば席札３を挟める程度の大きさとなっている。
【００３９】
カップ１１０に取り付けられた席札３は、席札３の最端部が溝１０２ｂの側面１０２ｄ側の第１支持部Ｓ１と接触し、また、席札３の中央寄り端部が溝１０２ｂの側面１０２ｅ側の第２支持部Ｓ２と接触し、溝１０２ｂに安定して支持される。
【００４０】
以上の説明から明らかなように、本実施形態のカップ１１０では、カップ１１０の底部１０２に一対の側面１０２ｄ、１０２ｅの溝１０２ｂを設け、カップ１１０を伏せた状態で溝１０２ｂにカード、具体的には席札３を挿入し、カップ１１０を例えば席札立てとして使用することができる。この際、溝１０２ｂの第１支持部Ｓ１と席札３の最端部とが接触し、また、溝１０２ｂの第２支持部Ｓ２と席札３の中央寄り端部とが接触することにより、席札３を安定して保持することができる。また、カップ１１０を倒立させることで席札立てとなり、正立させることでカップとなる。したがって、１つのカップ１１０で２通りの使用方法が可能となる。これにより、別途席札立てを必要とせず、卓上のスペースを有効に利用することができる。
【００４１】
〔第３実施形態〕
以下、本発明の第３実施形態に係るカップについて説明する。第３実施形態のカップは、第１実施形態のカップを変形したものであり、特に説明しない部分は、第１実施形態と同様であり重複説明を省略する。
【００４２】
図４は、第３実施形態に係るカップの構造を説明する図であり、図４（Ａ）は、カップ２１０を倒立させた状態の側面図であり、図４（Ｂ）は、４（Ａ）の斜視図である。このカップ２１０は、カップ本体１と、底部２０２とを備える。
【００４３】
底部２０２は、カップ２１０を正立させた状態からみてカップ本体１の下側に連続して形成されており、カップ２１０使用時にカップ本体１を支持する。底部２０２の裏面には溝２０２ｂが形成されている。
【００４４】
図４（Ｂ）に示すように、溝２０２ｂは、底部２０２の端面である円形状の基準平面２０２ｃに平行に直線状に延びている。図４（Ａ）に示すように、溝２０２ｂを構成する一対の側面２０２ｄ、２０２ｅは、互いに平行であり、基準平面２０２ｃの垂直方向（ＡＢ方向）に対して傾斜している。ここで、溝２０２ｂは、一対の側面２０２ｄ、２０２ｅの傾斜の角度θ及び方向が同じになっている。溝２０２ｂは、カップ２１０を倒立させた状態で、底部２０２の上部から下部に向かって所定の深さ、例えば１ｃｍ以下の深さで形成されている。溝２０２ｂの幅は、カード等、例えば席札３を挟める程度の大きさとなっている。
【００４５】
以上の説明から明らかなように、本実施形態のカップ２１０では、カップ２１０の底部２０２に一対の側面２０２ｄ、２０２ｅが平行な溝２０２ｂを設けることにより、カップ２１０を伏せた状態で、カップ２１０を例えば席札立てとして使用することができる。また、席札立てとして使用した後に席札３をカップ２１０から取り外しカップ２１０を正立させることによって、カップとして使用できる。したがって、１つのカップ２１０で２通りの使用方法が可能となる。これにより、別途席札立てを必要とせず、卓上のスペースを有効に利用することができる。
【００４６】
また、溝２０２ｂが、底部２０２に直線状に形成されることにより、より安定して席札３を保持することができる。また、溝２０２ｂの一対の側面２０２ｄ、２０２ｅが傾斜していることにより、挿入した席札３に記載された内容を見やすくすることができる。
【００４７】
〔第４実施形態〕
以下、本発明の第４実施形態に係るカップについて説明する。第４実施形態のカップは、第１実施形態のカップを変形したものであり、特に説明しない部分は、第１実施形態と同様であり重複説明を省略する。
【００４８】
図５は、第４実施形態に係るカップであるワイングラスの構造を説明する図であり、図５（Ａ）は、ワイングラス４１０を倒立させた状態の側面図であり、図５（Ｂ）は、５（Ａ）の斜視図であり、図５（Ｃ）は、５（Ａ）の底面図である。このワイングラス４１０は、ワイングラス本体４０１と、底部４０２と、足部４０３とを備える。
【００４９】
ワイングラス４１０は、例えばガラス製の容器であり、ワイングラス本体４０１の内部に飲食物としてのワイン等を入れることができるようになっている。また、足部４０３は、円柱状であり、ワイングラス本体４０１を支持し、底部４０２に連結されている。
【００５０】
底部４０２は、ワイングラス４１０を正立させた状態からみてカップ本体４０１の下側に連続して形成されており、ワイングラス４１０使用時に足部４０３を介してワイングラス本体４０１を支持する。底部４０２の裏面には溝４０２ｂが形成されている。なお、底部４０２の直径は、ワイングラス本体４０１の直径と略同じとなっている。
【００５１】
図５（Ａ）、５（Ｃ）に示すように、溝４０２ｂは、底部４０２の端面である円形状の基準平面４０２ｃに平行に直線状に延びている。図５（Ａ）等に示すように、溝４０２ｂを構成する一対の側面４０２ｄ、４０２ｅは、互いに平行であり、基準平面４０２ｃの垂直方向（ＡＢ方向）に対して傾斜している。ここで、溝４０２ｂは、一対の側面４０２ｄ、４０２ｅの傾斜の角度θ及び方向が同じになっている。溝４０２ｂは、ワイングラス４１０を倒立させた状態で、底部４０２の上部から下部に向かって所定の深さ、例えば３ｍｍ程度の深さで形成されている。溝４０２ｂの幅は、カード等、例えば席札３を挟める程度の大きさとなっている。なお、溝４０２ｂは、底部４０２のガラスの割れが生じにくい程度の大きさであることが望ましい。
【００５２】
以上の説明から明らかなように、本実施形態のワイングラス４１０では、ワイングラス４１０の底部４０２に一対の側面４０２ｄ、４０２ｅが平行な溝４０２ｂを設けることにより、ワイングラス４１０を伏せた状態で、ワイングラス４１０を例えば席札立てとして使用することができる。また、席札立てとして使用した後に席札３をワイングラス４１０から取り外しワイングラス４１０を正立させることによって、ワイングラスとして使用できる。したがって、１つのワイングラス４１０で２通りの使用方法が可能となる。これにより、別途席札立てを必要とせず、卓上のスペースを有効に利用することができる。
【００５３】
また、溝４０２ｂが、底部４０２に直線状に形成されることにより、より安定して席札３を保持することができる。また、溝４０２ｂの一対の側面４０２ｄ、４０２ｅが傾斜していることにより、挿入した席札３に記載された内容を見やすくすることができる。
【００５４】
なお、ワイングラス４１０は、底部４０２の裏面中央に窪みを有する形状とすることができ、この場合、例えば溝４０２ｂが一直線上に２カ所形成される。
【００５５】
以上実施形態に即して本発明を説明したが、本発明は、上記の実施形態に限られるものではなく、その要旨を逸脱しない範囲において種々の態様において実施することが可能であり、例えば次のような変形も可能である。
【００５６】
上記実施形態において、カップ１０、１１０、２１０の材質を陶器製としたが、ある程度の耐久性を有するものであれば、例えば漆器製、ガラス製、アルミ製、プラスチック製、木製等でもよい。また、カップ本体１の材質と底部２等の材質が異なってもよい。また、ワイングラス４１０も同様に、ガラス製に限らず、陶器製、プラスチック製等でもよい。
【００５７】
また、カップ１０、１１０、２１０、ワイングラス４１０の形状は、上記実施形態のものに限らず、溝２ｂ、１０２ｂ、２０２ｂ、４０２ｂを設けることができる形状であればよい。また、カップ１０、１１０、２１０、ワイングラス４１０に模様や絵、その他のデザイン等を施したりすることもできる。
【００５８】
また、第１、第２、及び第３実施形態において、溝２ｂ、１０２ｂ、２０２ｂの深さの例示として１ｃｍとしたが、席札３等を溝２ｂ、１０２ｂ、２０２ｂに挿入し、保持できる深さであるとともに、カップ１０、１１０、２１０としての機能、すなわち飲料等を保持する機能を損なわない程度の深さであればよい。
【００５９】
また、上記実施形態において、溝２ｂ、１０２ｂ、２０２ｂ、４０２ｂの大きさ、形、位置、数、角度θ等は、席札３を挿入できるものであればよい。
【００６０】
また、上記実施形態において、溝２ｂ、１０２ｂ、２０２ｂ、４０２ｂに挟みこむものは、図２等に示したような席札３に限らず、用途に応じて図示以外の形状、材質のカード等でもよい。また、カード等に模様や絵、その他のデザイン等を施したりすることもできる。
【００６１】
また、第１及び第２実施形態において、１つの席札３を２つの溝２ｂ、１０２ｂに取り付けたが、例えば１つの席札３を１つの溝２ｂ、１０２ｂに取り付けてもよい。また、この場合、他方の溝２ｂ、１０２ｂを形成しなくてもよい。
【００６２】
また、第１及び第２実施形態において、高台２ａ、１０２ａの高さは溝２ｂ、１０２ｂの深さよりも大きいとしたが、溝２ｂ、１０２ｂを設けたことによりカップ本体１の飲料等の保持機能が失われなければ、溝２ｂ、１０２ｂの深さよりも小さくてもよい。
【００６３】
また、第１及び第２実施形態において、高台２ａの形状は、溝２ｂ等を設けることができ、カップ１０、１１０を安定して載置することができる形状であればよい。例えば、円形に限らず、三角形や四角形等とすることができる。
【００６４】
また、上記実施形態において、図６に示すように、溝２ｂ、１０２ｂ、２０２ｂ、４０２ｂと基準平面２ｃ、２０２ｃ、４０２ｃとの境界部分Ｐ１、Ｐ２を面取りしてもよい。これにより、席札３等の出し入れを容易にし、席札３等に傷がつくのを防ぐことができる。
【００６５】
また、上記実施形態において、溝２ｂ、１０２ｂ、２０２ｂ、４０２ｂは、底部２に１カ所又は２カ所設けたが、３カ所以上の複数カ所設けてもよい。例えば、図７に示すように、底部３０２の高台３０２ａに溝３０２ｂを４カ所設けてもよい。この場合、一直線上の２カ所の溝３０２ｂにそれぞれカードを挟み込み、カップに２つのカードを取り付けることができる。
【００６６】
また、上記実施形態において、席札３は、名前の表示方法も、一般に焼付け、彫刻、印刷、印刷シールの貼着等が行われる。
【符号の説明】
【００６７】
１…カップ本体、  ２、１０２、２０２、３０２、４０２…底部、  ２ａ、１０２ａ、３０２ａ…高台、  ２ｂ、１０２ｂ、２０２ｂ、３０２ｂ、４０２ｂ…溝、  ３…席札、  １０、１１０、２１０…カップ、  ４１０…ワイングラス
【図１】
2010057909.tif 000003
【図２】
2010057909.tif 000004
【図３】
2010057909.tif 000005
【図４】
2010057909.tif 000006
【図５】
2010057909.tif 000007
【図６】
2010057909.tif 000008
【図７】
2010057909.tif 000009